(57)【要約】      （修正有）【課題】宴席等で卓上でビール等を保冷することができる携帯型の電子冷却保冷機器を提供する。【解決手段】保冷器具の底に電子冷却ペルチェ素子基盤を配置する。【選択図】図１
0003176893.tif 000002
【実用新案登録請求の範囲】
【請求項１】
ペルチェ素子電子効果を利用した電子冷却装置のセラミック冷却基盤で、本体容器を形成する事により、ビール等を直接保冷出来る容器が出来る。
冷媒コンプレッサー・冷媒ポンプが無い為小型化が出来る、電子冷却保冷器。
冷媒コンプレッサー・冷媒ポンプが要らないので、騒音が発生しないし、小型化が出来る。
電源は商用電源より直流電気に変換して通電する。
電源の無い場所では、電源が直流電気なので、バッテリーから通電出来るので、携帯型の保冷器として、何処でも何時でも宴席等の卓上で保冷出来る。
【考案の詳細な説明】
【技術分野】
【０００１】ペルチェ素子効果を利用した電子冷却板のセラミック基盤▲３▼で保冷容器▲１▼を形成して、直接保冷出来る容器を作る事で容器の小型化ができ、卓上で使える携帯型の保冷庫としてビール等を保冷出来る。
【背景技術】
【０００２】冷媒機器が電子冷却（ペルチェ素子効果）基盤▲２▼なので、騒音の発生がなく、冷却するセラミック基盤で容器▲１▼を形成する事で小型化が出来、携帯出来るので、直接卓上でビール等を冷やす、保冷器▲１▼が出来る。
【考案の概要】
【考案が解決しようとする課題】
【０００３】現在、宴席・ビヤガーデン等で出される冷たいビールは時間の経過で生暖かくなりビール本来の美咲しさが無くなり、大勢の人が集まる席では、対応出来ないのが現状である。
【課題を解決するための手段】
【０００４】冷媒機器が電子冷却式（ペルチェ素子効果）▲２▼の冷却セラミック基盤▲３▼で、保冷容器▲１▼を形成する事で、小型化が出来、冷媒ポンプが無いので騒音が発生しないので、携帯型の卓上保冷器が出来る。
電子冷却式▲２▼は直流電気なので、商用電源から直流電気に変換して▲４▼に通電する。
電源の無い場所では、バッテリーからの通電▲４▼出来るので、何処でも携帯出来る。
【考案の効果】
【０００５】電子冷却式（ペルチェ素子効果）▲２▼セラミック基盤▲３▼で容器を形成出来るので、小型化が出来、卓上式の携帯保冷器▲１▼が出来る。
冷媒機器にコンプレッサーを使わないので、卓上に置いても騒音が出ない。
電源は、商用電源から直流電気に変換して▲４▼に通電するか、電源の無い場所では、バッテリーから通電出来るので、何処でも携帯でき、冷たいビールが何処でも飲める。
飲食店や宴席会場，ビヤガーデン等、何時までも冷たいビールが飲める店として、話題になり、店が繁盛する。
【図面の簡単な説明】
【０００６】
【図１】本件実施の断面図。
【図２】電子冷却式盤。
【考案を実施する為の最良の形態】
【０００７】電子冷却式盤（ペルチェ素子効果）▲２▼は、半導体素子▲６▼・半田層▲７▼・導電極▲８▼・セラミック基盤▲３▼で構成され、直流電気▲４▼を通電する事により、ペルチェ効果により、セラミック基盤▲３▼が吸熱冷却される。
セラミック基盤▲３▼が式盤なので、本体容器▲１▼が直接形成出来、小型化が出来る。
電子冷却式の電源は、直流電気なので、商用電源から直流に変換して▲４▼に通電する。
電源の無い場所では、バッテリーからの通電▲４▼出来るので何処でも携帯出来る。
【実施例】
【０００８】以下、添付図面に従って図１の実施例を説明する。▲１▼は電子冷却装置▲２▼のセラミック基盤▲３▼で形成される本体容器で、ビール等を直接冷却出来る。
図２は電子冷却式盤▲２▼は、セラミック基盤▲３▼・半導体素子▲６▼・半田層▲７▼・導電極▲８▼、を図面２の電子冷却装置の断面図どおり組み立て直流電気を通電する事によりペルチェ素子効果により、セラミック基盤が吸熱冷却される。
セラミック基盤で直接本体容器を形成出来るので、コンパクトな本体容器が出来る。
【産業上の利用可能性】
【０００９】現在、宴席、ビヤガーデン等で出される冷たいビールは、時間の経過で生暖かくなりビール本来の美咲しさが無くなり、大勢の人が集まる席では、対応出来ないのが現状である。
席上のテーブルに本体容器が在れば何時までも、何時でも何処でも冷えたビールが飲めるので喜ばれ感謝されるので、業務上有効な本体容器と思われる。
【符号の説明】
【００１０】▲１▼  本体容器
▲２▼  電子冷却装置
▲３▼  セラミック基盤
▲４▼  電気の流れ  直流電気
▲５▼  ビール瓶
▲６▼  半導体素子
▲７▼  半田層
▲８▼  導電極
【図１】
0003176893.tif 000003
【図２】
0003176893.tif 000004
【手続補正書】
【提出日】平成24年4月20日(2012.4.20)
【手続補正１】
【補正対象書類名】実用新案登録請求の範囲
【補正対象項目名】全文
【補正方法】変更
【補正の内容】
【実用新案登録請求の範囲】
【請求項１】
保冷器具の底に電子冷却ペルチェ素子基盤を配置して、通電することにより、基盤が吸熱冷却され、素子基盤で直接冷却出来る、携帯型の電子冷却保冷機器。
【手続補正３】
【補正対象書類名】明細書
【補正対象項目名】全文
【補正方法】変更
【補正の内容】
【考案の詳細な説明】
【技術分野】
【０００１】ペルチェ素子の電子冷却式は半導体素子・半田層・導電極・セラミック基盤で構成され直流電気を通電する事により、ペルチェ効果により、ペルチェ素子基盤が吸熱冷却される。
電子冷却式ペルチェ素子基盤を埋め込んだ基盤で直接冷却出来るので、小型化が出来る。
電子冷却式ペルチェ素子基盤▲２▼は直流電気なので、商用電源から直流電気に変換して通電する。電源の無い場所では、バッテリーから通電出来るので、何処でも携帯出来るので、卓上で使える携帯型の保冷器としてビール等を保冷する。冷媒機器にコンプレッサーを使わないので騒音の発生が無い。
【背景技術】
【０００２】冷媒機器が電子冷却式ペルチェ素子基盤なので、騒音の発生がなく、冷却するペルチェ素子基盤を配置することで、直接冷却出来、効率良く保冷出来る。
直流電気なので、バッテリーの電源でも良く、携帯できるので、卓上でビール等を保冷出来る本体容器が出来る。
【考案の概要】
【考案が解決しようとする課題】
【０００３】現在、宴席等で出される冷たいビールは、時間の経過で生温かくなり、美味しさが無くなり、残ったビールを飲まずに新しいビールを注文するか、不味いまま飲んでいる。
【課題を解決するための手段】
【０００４】冷媒機器が電子冷却式ペルチェ素子基盤を配置して、直接冷却出来るので、小型化が出来る。
電子冷却式ペルチェ素子基盤は直流電気なので、商用電源から直流電気に変換して通電する。
電源の無い場所では、バッテリーから通電出来るので、何処でも携帯出来る。
【考案の効果】
【０００５】電子冷却式ペルチェ素子基盤を配置することで、直接冷却でき、容器を小型化が出来、携帯型の卓上式の本体容器が出きる。
冷媒機器にコンプレッサーを使わないので、卓上に置いても騒音が出ない。
電源は、商用電源から直流電気に変換して通電するか、電源の無い場所では、バッテリーから通電出来るので、何処でも携帯でき、冷たいビールが何処でも飲める。
飲食店や宴席会場、ビヤガーデン等、何時までも冷たいビールが飲める店として、話題になり、繁盛する。
【図面の簡単な説明】
【０００６】
【図１】断面図
【図２】平面図
【考案を実施するための最良の形態】
【０００７】電子冷却ペルチェ素子基盤▲２▼は半導体素子・半田層・導電極・セラミック基盤で構成され、直流電気を通電する事により、ペルチェ効果により、ペルチェ素子基盤▲２▼が、吸熱冷却される。
電子冷却ペルチェ素子基盤▲２▼を、図２の様に配置して直接冷却出来るので、小型化が出来る。
電子冷却式の電源は、直流電気なので、商用電源から変換して電子冷却ペルチェ素子▲２▼に通電する。
電源の無い場所では、バッテリーから通電出来るので、何処でも携帯出来る、電子冷却保冷機器。
【手続補正４】
【補正対象書類名】図面
【補正対象項目名】全図
【補正方法】変更
【補正の内容】
【図１】
0003176893.tif 000005
【図２】
0003176893.tif 000006